(57)【要約】      （修正有）【課題】気品があると共に華やかさを備えた袴を提供する。【解決手段】袴本体１の前身頃上端部に前紐２ａ，２ｂを縫付け、後身頃上端部には後紐３ａ，３ｂを縫付けた袴において、上記後紐３ａ、３ｂの内面には柄を形成している。【選択図】図１
0003214998.tif 000002
【実用新案登録請求の範囲】
【請求項１】
袴本体の前身頃上端部に前紐を縫付け、後身頃上端部には後紐を縫付けた袴において、上記後紐には柄を形成しり、又は袴本体とは異なる色彩としたことを特徴とする後紐に柄等を形成した袴。
【請求項２】
上記後紐の内面に柄を形成したり、袴本体とは異なる色彩とし、表面は袴本体と同じ色彩の無地とした請求項１記載の後紐に柄等を形成した袴。
【請求項３】
上記後紐の内面を、袴本体とは異なる色彩にすると共に柄を形成し、表面は袴本体と同じ色彩の無地とした請求項１記載の後紐に柄等を形成した袴。
【請求項４】
上記後紐の幅寸法Ｍを前紐の幅寸法ｍより大きくした請求項１、請求項２、又は請求項３記載の後紐に柄等を形成した袴。
【考案の詳細な説明】
【技術分野】
【０００１】
本考案は着用した際に品格と共に華やかさを兼ね備える為に、後紐の色彩を袴本体と違わせたり、又は後紐に柄を形成した袴に関するものである。
【背景技術】
【０００２】
袴とは腰から下を包む和装の着用物であって、該袴は前後２部（前身頃と後身頃）からなり、下部は筒状でスカートのように両脚を通す形態と成っており、また、上端部には前紐と後紐を備えている。
一口に袴と言ってもその種類は表袴、大口袴、小口袴、紅袴、長袴など色々あって、用途に応じて使われているが、袴を着用するに為にその上端部に紐を縫付けていて、該紐を身体に結ぶことが出来るようにしている。
【０００３】
図４は従来の一般的な長袴を示す具体例であり、前身頃の上端部には前紐（イ）、（イ）が両側に延びており、また、後身頃の上端部にも後紐（ロ）、（ロ）が両側に延びている。該長袴を着用する場合には、両脚を通すと共に前身頃を腹の正面に配置して両前紐（イ）、（イ）を腰に締め、また後身頃を背中に配置して両後紐（ロ）、（ロ）を締める。
【０００４】
袴は羽織と共に礼服用として用いられることが多かったが、近年では大学の卒業式に袴を着用するケースも増えている。特に女子学生の間では袴に人気が高く、着物と袴を対にして着用することで卒業式に臨む人も多い。
袴を着用することで和服（着物）とはまた別の厳粛さを演出することが出来、その為に卒業式などの式典に利用されるケースがある。
【０００５】
ところで、袴は一般的に無地一色であり、柄模様を形成した振袖などの着物のような華やかさに欠けるといった欠点もある。すなわち、着物は鮮やかな色合いであり、しかも鮮やか模様を形成することが出来る為に、華やかさに関しては着物の方が勝っている。しかし、厳粛さに関しては袴の方が勝っている。
ところで、袴に関する文献も従来から色々知られているが、履き心地が良いものであったり、素人でも上手く着用することが出来る内容のものが殆どである。
【０００６】
特開２０１７−８４７７号に係る「袴」は、着脱が容易であり且つ履き心地の良いように成っている。
そこで、前身頃部、後身頃部、並びに前記前身頃部及び後身頃部の上部に備えられた腹回りを覆う帯状布部からなり、前記帯状布部の上下幅が５〜１０ｃｍの範囲としている。前身頃部及び後身頃部の上部に備えられた腰及び／又は腹回りを覆う幅の広い帯状布部により着用者の腹〜腰周りで袴を安定して固定でき、履き心地を飛躍的に向上させることが可能である。
【０００７】
特開２００６−３７２９３号に係る「袴」は、剣道用袴の着用において、幼年や少年でも容易に、かつ確実に袴締めできるようにしている。
そこで、ウエスト部の前面部より左右横方向にそれぞれ延出され、長さに長短のある締め帯に面ファスナーを、またウエスト部の背面部に、上記締め帯の面ファスナーにそれぞれ係止する面ファスナーが設けられている。
【０００８】
特開２００１−３０３３１２号に係る「袴」は、着装中の見映えを損ねることなく、容易に着装でき、特に子供用として適している。
そこで、袴本体の上部に、前と後ろとを留めて袴本体を身体に固定する留め手段を設け、かつ後ろ上部に、身体に巻回して結ぶ紐材とを設けるとともに、前記留め手段は、袴本体の前上部両端から後ろ上部の腰板両縁にそれぞれ架け渡される弾性帯からなり、しかも前上部に、予め結び目が取付けられている。
【特許文献１】特開２０１７−８４７７号に係る「袴」
【特許文献２】特開２００６−３７２９３号に係る「袴」
【特許文献３】特開２００１−３０３３１２号に係る「袴」
【考案の開示】
【考案が解決しようとする課題】
【０００９】
このように、袴を着用する際の利便性や着用感を図った文献は色々存在している。本考案が解決しようとする課題は、利便性や着心地を目的としたものではなく、厳粛な袴であると共に、その一部に華やかさを備えた袴を提供する。
【課題を解決するための手段】
【００１０】
本考案に係る袴は袴本体と紐で構成し、袴本体は従来の袴と共通している。すなわち、袴本体の上部は前身頃と後身頃に分かれ、下部は筒状と成って、一般には左右に分かれてそれぞれに脚を通すことが出来る。勿論、左右に分かれていないで袴本体を構成することも多い。紐は前身頃上端両側と後身頃上端両側にそれぞれ縫い付けられて外方向へ延びていて、両紐を腰に結んで袴本体を着用することが出来る。
【００１１】
ところで、上記後身頃に縫付ける後紐は、その内面に柄を形成し、表面（外面）は袴本体と同じように無地としている。また、前身頃に縫付ける前紐は、その表面及び内面共に袴本体と同じように無地としている。
ここで、上記後紐の内面に形成される柄の形態に関しては特に限定しないことにするが、一般的には幾何学的な模様が適している。
一方、上記柄に代わって又は柄と共に後紐の色彩を袴本体と違わせることも可能である。
【考案の効果】
【００１２】
本考案の袴は、袴本体に腰に締めることが出来るように前身頃と後身頃には紐を縫い付けている。そして、後身頃の後紐の内面は無地ではなく、柄を形成したり又は内面を袴本体とは異なるように目立つ色彩としている。
袴は気品の高い和服の１つであり、厳粛さを演出することが出来、その為に着用する場は卒業式などの式典に利用されるが、紐に柄模様を形成することで、また目立つ色彩とすることで、袴に華やかさを演出することが出来る。
女性であれば、華やかな模様を有す着物と組み合わせて袴を着用する場合もあるが、無地な生地から成る袴本体に華やかな紐を縫付けることで、袴自体に厳粛さと共に華やかさを備えることが可能と成る。
【図面の簡単な説明】
【００１３】
【図１】本考案に係る袴を示す実施例。
【図２】袴の後紐内面に形成される柄を示す具体例。
【図３】本考案の袴を着用した場合。
【図４】従来の一般的な袴を示す具体例。
【考案を実施するための形態】
【００１４】
図１は本考案に係る袴を示す実施例であり、同図の１は袴本体、２ａ，２ｂは前紐、３ａ，３ｂは後紐をそれぞれ表している。幅寸法ｍの前紐２ａ，２ｂは袴本体１の前身頃４の上端部に縫付けされて両側へ延びており、そして幅寸法Ｍの後紐３ａ，３ｂは後身頃の上端部に縫付けされて両側へ延びている。
ここで、同図に示すように前身頃４の高さは後身頃より低く成っていて、その為に後身頃は後紐３ａ，３ｂの幅寸法Ｍに相当する寸法分が高く成っていて、後紐３ａ，３ｂは前紐２ａ，２ｂの上方に平行に延びている。
【００１５】
本考案では、該袴を着用する手順に関しては特に限定せず自由であり、一般に前身頃４を腹部の正面（前面）に位置合わせして前紐２ａ，２ｂによって締付けて固定される。
その後で、後身頃を背中に位置合わせして後紐３ａ，３ｂを締付けて固定する。その為に、腹部に締付けた前紐２ａ，２ｂの上に後紐３ａ，３ｂが重なり合って締付けられる。
【００１６】
ここで、上記前紐２ａ，２ｂは一定幅寸法ｍを有す帯状を成し、袴本体１と同じ色彩の生地が用いられて、表裏両面は無地と成っている。その為に、前身頃４を腹部に締付けた場合、同じ色彩の無地で構成した前紐２ａ，２ｂが目立つことはなく、前身頃４の一部としての外観を呈する。
他方、後身頃に縫付けられている後紐３ａ，３ｂも一定幅Ｍの帯状を成しているが、その内面７には柄を形成している。しかし、外面（表面）は上記前紐２ａ，２ｂと同じように袴本体１と同じ色彩の無地が用いられている。
【００１７】
ここで、後紐３ａ、３ｂの内面に形成される柄に関しては自由であるが、一般的には気品のある幾何学的な模様が適している。例えば、長手方向に複数本の線を等間隔で形成したり、市松模様とすることが可能である。一定幅寸法の帯状の無地生地と模様を形成した同じ幅寸法の生地を重ね合わせ、両縁を縫付けることで後紐３ａ，３ｂを作ることが出来る。
【００１８】
図２は後紐３の内面に形成される模様を表している具体例であり、（ａ）に示す後紐３は複数本の直線５，５・・・を形成している。また（ｂ）に示す後紐３には複数の正方形６，６・・・が形成されて、全体としては市松模様と成っている。
ところで、図３は本考案に係る袴を着用した状態を表している。同図は女性が着用している場合であり、上半身は着物を着用し、下半身には袴を着用している。
【００１９】
着物には華やかな模様が形成され、袴本体１は紺色や黒色などの無地であるが、この無地の袴本体１を身体に締付ける為の後紐３ａ，３ｂには柄を形成している。したがって、気品の高い袴であって、その反面地味に成りがちであるが、後紐３ａ，３ｂに柄を形成していることで、袴全体に華やかさを演出することが出来る。
後紐３ａ，３ｂはその内面７のみに柄を形成しているが、後紐３ａ，３ｂを締める際に柄が表面化するように結ばれている。
そして、上記図１に示すように、後紐３ａ，３ｂの幅寸法Ｍは前紐２ａ，２ｂの幅寸法ｍより大きくすることで、袴を着用して後紐３ａ，３ｂ締付け、その内面７が表面化した場合に目立つように成っている。
【符号の説明】
【００２０】
１   袴本体
２   前紐
３   後紐
４   前身頃
５   直線
６   正方形
７   内面
【図１】
0003214998.tif 000003
【図２】
0003214998.tif 000004
【図３】
0003214998.tif 000005
【図４】
0003214998.tif 000006
【手続補正書】
【提出日】平成29年12月14日(2017.12.14)
【手続補正１】
【補正対象書類名】実用新案登録請求の範囲
【補正対象項目名】全文
【補正方法】変更
【補正の内容】
【実用新案登録請求の範囲】
【請求項１】
袴本体の前身頃上端部に前紐を縫付け、後身頃上端部には後紐を縫付けた袴において、上記後紐には柄を形成しり、又は袴本体とは異なる色彩としたことを特徴とする後紐に柄を形成した袴。
【請求項２】
上記後紐の内面に柄を形成したり、袴本体とは異なる色彩とし、表面は袴本体と同じ色彩の無地とした請求項１記載の後紐に柄を形成した袴。
【請求項３】
上記後紐の内面を、袴本体とは異なる色彩にすると共に柄を形成し、表面は袴本体と同じ色彩の無地とした請求項１記載の後紐に柄を形成した袴。
【請求項４】
上記後紐の幅寸法Ｍを前紐の幅寸法ｍより大きくした請求項１、請求項２、又は請求項３記載の後紐に柄を形成した袴。